【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
識別情報の可変表示を実行し、遊技者にとって有利な有利状態に制御可能な遊技機であって、
未だ開始されていない可変表示について保留情報を記憶する保留記憶手段と、
前記保留記憶手段に記憶される前記保留情報に対応して保留表示領域に特定表示を表示する保留表示手段と、
実行中の識別情報の可変表示に対応して今回表示領域に前記特定表示を表示する今回表示手段と、
前記特定表示の表示態様を制御する表示態様制御手段と、を備え、
前記表示態様制御手段は、前記特定表示の表示態様を変化させることが可能であり、
前記特定表示の表示態様には、通常態様と、前記通常態様とは異なる特殊態様と、前記通常態様及び前記特殊態様とは異なる予告態様と、が含まれ、
前記特殊態様には、前記有利状態に制御される可能性の異なる複数の予告態様が含まれ、
前記表示態様制御手段は、
前記特定表示の表示態様が前記通常態様であるときよりも前記特殊態様であるときの方が高い割合で前記特定表示の表示態様を前記予告態様に変化させ、
前記保留記憶手段に新たな保留情報が記憶された際に前記保留記憶手段に記憶されている前記保留情報の記憶数が第１の数であるときと前記第１の数とは異なる第２の数であるときとで異なる割合で、当該新たな保留情報が記憶されることに基づいて表示される前記特定表示の表示態様を前記特殊態様にすることが可能であり、
前記保留表示領域に表示される前記特定表示の表示態様が前記特殊態様であるときに、前記特定表示の表示態様を前記複数の予告態様のうちの前記有利状態に制御される可能性が所定の閾値よりも高い特定予告態様に変化させることが可能であり、
前記今回表示領域に表示される前記特定表示の表示態様が前記特殊態様であるときに、前記特定表示の表示態様を前記特定予告態様に変化させることが可能であり、
前記保留表示領域に表示される前記特定表示の表示態様が前記特殊態様であるときと、前記今回表示領域に表示される前記特定表示の表示態様が前記特殊態様であるときとで、異なる割合で、前記特定表示の表示態様を前記特定予告態様に変化させ、
前記特定表示の表示態様が前記特殊態様であるときは、当該特殊態様を他の表示態様に最後まで変化させない割合よりも高い割合で最後までに当該特殊態様を前記予告態様に変化させる、
ことを特徴とする遊技機。
【手続補正２】
【補正対象書類名】明細書
【補正対象項目名】０００７
【補正方法】変更
【補正の内容】
【０００７】
（Ａ）上記目的を達成するため本発明に係る遊技機は、
識別情報の可変表示を実行し、遊技者にとって有利な有利状態に制御可能な遊技機であって、
未だ開始されていない可変表示について保留情報を記憶する保留記憶手段と、
前記保留記憶手段に記憶される前記保留情報に対応して保留表示領域に特定表示を表示する保留表示手段と、
実行中の識別情報の可変表示に対応して今回表示領域に前記特定表示を表示する今回表示手段と、
前記特定表示の表示態様を制御する表示態様制御手段と、を備え、
前記表示態様制御手段は、前記特定表示の表示態様を変化させることが可能であり、
前記特定表示の表示態様には、通常態様と、前記通常態様とは異なる特殊態様と、前記通常態様及び前記特殊態様とは異なる予告態様と、が含まれ、
前記特殊態様には、前記有利状態に制御される可能性の異なる複数の予告態様が含まれ、
前記表示態様制御手段は、
前記特定表示の表示態様が前記通常態様であるときよりも前記特殊態様であるときの方が高い割合で前記特定表示の表示態様を前記予告態様に変化させ、
前記保留記憶手段に新たな保留情報が記憶された際に前記保留記憶手段に記憶されている前記保留情報の記憶数が第１の数であるときと前記第１の数とは異なる第２の数であるときとで異なる割合で、当該新たな保留情報が記憶されることに基づいて表示される前記特定表示の表示態様を前記特殊態様にすることが可能であり、
前記保留表示領域に表示される前記特定表示の表示態様が前記特殊態様であるときに、前記特定表示の表示態様を前記複数の予告態様のうちの前記有利状態に制御される可能性が所定の閾値よりも高い特定予告態様に変化させることが可能であり、
前記今回表示領域に表示される前記特定表示の表示態様が前記特殊態様であるときに、前記特定表示の表示態様を前記特定予告態様に変化させることが可能であり、
前記保留表示領域に表示される前記特定表示の表示態様が前記特殊態様であるときと、前記今回表示領域に表示される前記特定表示の表示態様が前記特殊態様であるときとで、異なる割合で、前記特定表示の表示態様を前記特定予告態様に変化させ、
前記特定表示の表示態様が前記特殊態様であるときは、当該特殊態様を他の表示態様に最後まで変化させない割合よりも高い割合で最後までに当該特殊態様を前記予告態様に変化させる、
ことを特徴とする。
（１）（１−１）上記目的を達成するため別態様に係る遊技機は、
可変表示（例えば、特別図柄や飾り図柄の可変表示など）を実行し、遊技者にとって有利な特定状態（例えば、大当り遊技状態など）に制御可能な遊技機（例えば、パチンコ遊技機１など）であって、
未だ開始されていない可変表示について保留情報を記憶する保留記憶手段（例えば、第１特図保留記憶部及び第２特図保留記憶部など）と、
前記保留記憶手段に前記保留情報が記憶されることに基づいて特定表示（例えば、保留表示図柄など）を表示する特定表示手段（例えば、第１保留表示領域５Ｈａや第２保留表示領域５Ｈｂや今回表示領域５Ｈｃに保留表示図柄を表示する画像表示装置５など）と、
前記特定表示の表示態様を制御する表示態様制御手段（例えば、保留表示図柄の表示色を制御する演出制御用ＣＰＵ１２０など）と、を備え、
前記表示態様制御手段は、前記特定表示の表示態様を変化させることが可能であり（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記通常態様は、前記特定表示の表示開始時において最も高い割合で表示される表示態様であり（例えば、図２１参照）、
前記予告態様には、前記特定状態に制御される割合が前記通常態様及び前記特殊態様よりも高い態様（例えば、虹色など）が含まれ、
前記特定表示の表示態様が最後に前記特殊態様であるときの方が最後に前記通常態様であるときよりも前記特定状態に制御される割合が低く（例えば、構成４７など）、
前記表示態様制御手段は、
前記特定表示の表示態様が前記通常態様であるときよりも前記特殊態様であるときの方が高い割合で前記特定表示の表示態様を前記予告態様に変化させ（例えば、図２５〜図４４の各保留表示パターン決定テーブルや各全期間保留表示パターン決定テーブルにおいて、青色から予告態様の表示色に変化するパターンを含む保留表示パターンや全期間保留表示パターンの決定割合の合計値（又は平均値）よりも、灰色又は白色から予告態様の表示色に変化する態様を含む保留表示パターンや全期間保留表示パターンの決定割合の合計値（又は平均値）それぞれの方が高くなるようにするなど）、
前記特定表示の表示態様が前記特殊態様から変化し得る表示態様のうちの所定の表示態様であるときに、当該表示態様を当該所定の表示態様から前記特殊態様に変化させることが可能である（例えば、構成９など）、
ことを特徴とする。
（１−２）上記目的を達成するため別態様に係る遊技機は、
可変表示（例えば、特別図柄や飾り図柄の可変表示など）を実行し、遊技者にとって有利な特定状態（例えば、大当り遊技状態など）に制御可能な遊技機（例えば、パチンコ遊技機１など）であって、
未だ開始されていない可変表示について保留情報を記憶する保留記憶手段（例えば、第１特図保留記憶部及び第２特図保留記憶部など）と、
前記保留記憶手段に前記保留情報が記憶されることに基づいて特定表示（例えば、保留表示図柄など）を表示する特定表示手段（例えば、第１保留表示領域５Ｈａや第２保留表示領域５Ｈｂや今回表示領域５Ｈｃに保留表示図柄を表示する画像表示装置５など）と、
前記特定表示の表示態様を制御する表示態様制御手段（例えば、保留表示図柄の表示色を制御する演出制御用ＣＰＵ１２０など）と、を備え、
前記表示態様制御手段は、前記特定表示の表示態様を変化させることが可能であり（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる予告態様（例えば、黄色、緑色、赤色、及び、虹色など）と、が含まれ、
前記通常態様は、前記特定表示の表示開始時において最も高い割合で表示される表示態様であり（例えば、図２１参照）、
前記予告態様には、前記特定状態に制御される割合が前記通常態様及び前記特殊態様よりも高い態様（例えば、虹色など）が含まれ、
前記表示態様制御手段は、
前記特定表示の表示態様が前記通常態様であるときよりも前記特殊態様であるときの方が高い割合で前記特定表示の表示態様を前記予告態様に変化させ（例えば、図２５〜図４４の各保留表示パターン決定テーブルや各全期間保留表示パターン決定テーブルにおいて、青色から予告態様の表示色に変化するパターンを含む保留表示パターンや全期間保留表示パターンの決定割合の合計値（又は平均値）よりも、灰色又は白色から予告態様の表示色に変化する態様を含む保留表示パターンや全期間保留表示パターンの決定割合の合計値（又は平均値）それぞれの方が高くなるようにするなど）、
前記特定表示の表示態様が前記特殊態様であるときは、当該特殊態様を他の表示態様に最後まで変化させない割合よりも高い割合で最後までに当該特殊態様を前記予告態様に変化させ（例えば、図２５〜図４４の保留表示パターンなどを参照）、
前記特定表示の表示態様が前記特殊態様から変化し得る表示態様のうちの所定の表示態様であるときに、当該表示態様を当該所定の表示態様から前記特殊態様に変化させることが可能である（例えば、構成９など）、
ことを特徴とする。